(57)【要約】【課題】空気調和装置を構成するガスエンジンのガス消費量を高精度に推定する。【解決手段】推定値導出方法では、圧縮機の回転数Ｎｃｐと冷媒の密度ρｓｕｃと圧縮機の排除容積Ｖおよび体積効率ηｖｏｌとに基づいて冷媒循環量ｑを算出し、圧縮機吸入温度Ｔｓｕｃと圧縮機吸入圧力Ｐｓｕｃとに基づいて圧縮機吸入エンタルピーＨｓｕｃを算出し、圧縮機吐出圧力Ｐｄｉｓに基づいて圧縮機吐出エンタルピーＨｄｉｓを算出し、冷媒循環量と圧縮機吸入エンタルピーと圧縮機吐出エンタルピーとに基づいて圧縮機要求動力Ｂを算出し、ガスエンジンの回転数Ｎｅｇと圧縮機要求動力Ｂとに基づいてエンジントルクＥを算出し、ガスエンジンの回転数ＮｅｇとエンジントルクＥとに基づいてエンジン効率ηｅｇを算出し、圧縮機要求動力とエンジン効率とに基づいてガスエンジンのガス消費量の推定値を導出する。【選択図】図７
2015140951.tif 000002
【特許請求の範囲】
【請求項１】
冷媒が循環する連続した循環路と、
ガスエンジンと、前記循環路に設けられ、該ガスエンジンを駆動源として前記冷媒を圧縮する圧縮機と、該冷媒と室外の空気とで熱交換を行う室外熱交換器と、該室外熱交換器に空気を送り熱交換を促進させる室外送風部とを有する室外機ユニットと、
前記循環路に設けられ、前記冷媒を減圧する減圧部と、該冷媒と室内の空気とで熱交換を行う室内熱交換器と、該室内熱交換器に空気を送り熱交換を促進させる室内送風部とを有する１または複数の室内機ユニットと、
を備えた空気調和装置において前記ガスエンジンのガス消費量の推定値を導出する推定値導出方法であって、
前記ガスエンジンの回転数から前記圧縮機の回転数を算出する工程と、
前記圧縮機が吸入する冷媒の温度である圧縮機吸入温度と、該圧縮機が吸入する冷媒の圧力である圧縮機吸入圧力とに基づいて、該圧縮機が吸入する冷媒の密度を算出する工程と、
算出した前記圧縮機の回転数と、算出した前記冷媒の密度と、該圧縮機の排除容積および体積効率とに基づいて、該圧縮機を循環する冷媒の流量である冷媒循環量を算出する工程と、
前記圧縮機吸入温度と、前記圧縮機吸入圧力とに基づいて、該圧縮機が吸入する冷媒のエンタルピーである圧縮機吸入エンタルピーを算出する工程と、
前記圧縮機が吐出する冷媒の圧力である圧縮機吐出圧力に基づいて、該圧縮機が吐出する冷媒のエンタルピーである圧縮機吐出エンタルピーを算出する工程と、
前記冷媒循環量、前記圧縮機吸入エンタルピー、および、前記圧縮機吐出エンタルピーに基づいて、前記圧縮機に要求される動力である圧縮機要求動力を算出する工程と、
前記ガスエンジンの回転数と、前記圧縮機要求動力とに基づいて、該ガスエンジンのトルクであるエンジントルクを算出する工程と、
前記ガスエンジンの回転数と、前記エンジントルクとに基づいて、該ガスエンジンの熱効率であるエンジン効率を算出する工程と、
前記圧縮機要求動力と、前記エンジン効率とに基づいて、前記ガスエンジンのガス消費量の推定値を導出する工程と、
を含むことを特徴とする推定値導出方法。
【請求項２】
前記圧縮機吐出エンタルピーを算出する工程では、
前記圧縮機吸入温度と、前記圧縮機吸入圧力とに基づいて、前記圧縮機が吸入する冷媒のエントロピーである圧縮機吸入エントロピーを算出し、
前記圧縮機吸入エントロピーと、前記圧縮機吐出圧力とに基づいて、前記圧縮機が吐出する冷媒のエンタルピーの理論値である圧縮機理論吐出エンタルピーを算出し、
前記圧縮機吸入エンタルピー、前記圧縮機理論吐出エンタルピー、および、前記圧縮機の断熱圧縮効率に基づいて、前記圧縮機吐出エンタルピーを算出することを特徴とする請求項１に記載の推定値導出方法。
【請求項３】
冷媒が循環する連続した循環路と、
ガスエンジンと、前記循環路に設けられ、該ガスエンジンを駆動源として前記冷媒を圧縮する圧縮機と、該冷媒と室外の空気とで熱交換を行う室外熱交換器と、該室外熱交換器に空気を送り熱交換を促進させる室外送風部とを有する室外機ユニットと、
前記循環路に設けられ、前記冷媒を減圧する減圧部と、該冷媒と室内の空気とで熱交換を行う室内熱交換器と、該室内熱交換器に空気を送り熱交換を促進させる室内送風部とを有する１または複数の室内機ユニットと、
を備えた空気調和装置において前記ガスエンジンのガス消費量の推定値を導出する推定値導出装置であって、
前記ガスエンジンの回転数、該圧縮機の排除容積、該圧縮機の体積効率、該圧縮機が吸入する冷媒の温度である圧縮機吸入温度、該圧縮機が吸入する冷媒の圧力である圧縮機吸入圧力、および、該圧縮機が吐出する冷媒の圧力である圧縮機吐出圧力を前記空気調和装置から取得するデータ取得部と、
前記データ取得部が取得した前記ガスエンジンの回転数から前記圧縮機の回転数を算出し、該データ取得部が取得した前記圧縮機吸入温度および前記圧縮機吸入圧力から該圧縮機が吸入する冷媒の密度を算出し、算出した該圧縮機の回転数と、算出した該冷媒の密度と、該データ取得部が取得した前記排除容積および前記体積効率とに基づいて、該圧縮機を循環する冷媒の流量である冷媒循環量を算出する循環量算出部と、
前記データ取得部が取得した前記圧縮機吸入温度と、前記圧縮機吸入圧力とに基づいて、前記圧縮機が吸入する冷媒のエンタルピーである圧縮機吸入エンタルピーを算出する吸入エンタルピー算出部と、
前記データ取得部が取得した前記圧縮機吐出圧力に基づいて、前記圧縮機が吐出する冷媒のエンタルピーである圧縮機吐出エンタルピーを算出する吐出エンタルピー算出部と、
前記循環量算出部が算出した前記冷媒循環量、前記吸入エンタルピー算出部が算出した前記圧縮機吸入エンタルピー、および、前記吐出エンタルピー算出部が算出した前記圧縮機吐出エンタルピーに基づいて、前記圧縮機に要求される動力である圧縮機要求動力を算出する要求動力算出部と、
前記データ取得部が取得した前記ガスエンジンの回転数と、前記要求動力算出部が算出した前記圧縮機要求動力とに基づいて、該ガスエンジンのトルクであるエンジントルクを算出するトルク算出部と、
前記データ取得部が取得した前記ガスエンジンの回転数と、前記トルク算出部が算出した前記エンジントルクとに基づいて、該ガスエンジンの熱効率であるエンジン効率を算出するエンジン効率算出部と、
前記要求動力算出部が算出した前記圧縮機要求動力と、前記エンジン効率算出部が算出した前記エンジン効率とに基づいて、前記ガスエンジンのガス消費量の推定値を導出するガス消費量推定部と、
を備えたことを特徴とする推定値導出装置。
【請求項４】
冷媒が循環する連続した循環路と、
ガスエンジンと、前記循環路に設けられ、該ガスエンジンを駆動源として前記冷媒を圧縮する圧縮機と、該冷媒と室外の空気とで熱交換を行う室外熱交換器と、該室外熱交換器に空気を送り熱交換を促進させる室外送風部とを有する室外機ユニットと、
前記循環路に設けられ、前記冷媒を減圧する減圧部と、該冷媒と室内の空気とで熱交換を行う室内熱交換器と、該室内熱交換器に空気を送り熱交換を促進させる室内送風部とを有する１または複数の室内機ユニットと、
を備えた空気調和装置において前記ガスエンジンのガス消費量の推定値を導出するプログラムであって、
コンピュータを、
前記ガスエンジンの回転数、該圧縮機の排除容積、該圧縮機の体積効率、該圧縮機が吸入する冷媒の温度である圧縮機吸入温度、該圧縮機が吸入する冷媒の圧力である圧縮機吸入圧力、および、該圧縮機が吐出する冷媒の圧力である圧縮機吐出圧力を前記空気調和装置から取得するデータ取得部と、
前記データ取得部が取得した前記ガスエンジンの回転数から前記圧縮機の回転数を算出し、該データ取得部が取得した前記圧縮機吸入温度および前記圧縮機吸入圧力から該圧縮機が吸入する冷媒の密度を算出し、算出した該圧縮機の回転数と、算出した該冷媒の密度と、該データ取得部が取得した前記排除容積および前記体積効率とに基づいて、該圧縮機を循環する冷媒の流量である冷媒循環量を算出する循環量算出部と、
前記データ取得部が取得した前記圧縮機吸入温度と、前記圧縮機吸入圧力とに基づいて、前記圧縮機が吸入する冷媒のエンタルピーである圧縮機吸入エンタルピーを算出する吸入エンタルピー算出部と、
前記データ取得部が取得した前記圧縮機吐出圧力に基づいて、前記圧縮機が吐出する冷媒のエンタルピーである圧縮機吐出エンタルピーを算出する吐出エンタルピー算出部と、
前記循環量算出部が算出した前記冷媒循環量、前記吸入エンタルピー算出部が算出した前記圧縮機吸入エンタルピー、および、前記吐出エンタルピー算出部が算出した前記圧縮機吐出エンタルピーに基づいて、前記圧縮機に要求される動力である圧縮機要求動力を算出する要求動力算出部と、
前記データ取得部が取得した前記ガスエンジンの回転数と、前記要求動力算出部が算出した前記圧縮機要求動力とに基づいて、該ガスエンジンのトルクであるエンジントルクを算出するトルク算出部と、
前記データ取得部が取得した前記ガスエンジンの回転数と、前記トルク算出部が算出した前記エンジントルクとに基づいて、該ガスエンジンの熱効率であるエンジン効率を算出するエンジン効率算出部と、
前記要求動力算出部が算出した前記圧縮機要求動力と、前記エンジン効率算出部が算出した前記エンジン効率とに基づいて、前記ガスエンジンのガス消費量の推定値を導出するガス消費量推定部として機能させるためのプログラム。
【発明の詳細な説明】
【技術分野】
【０００１】
本発明は、ガスエンジンを駆動源とした圧縮機を含んで構成される空気調和装置におけるガス消費量を推定する推定値導出方法、推定値導出装置、および、プログラムに関する。
【背景技術】
【０００２】
従来、ガスエンジンを駆動源とした圧縮機を含んで構成される室外機ユニットを備えたＧＨＰ（ガスヒートポンプ）方式の空気調和装置が普及している。近年注目されている省エネルギー化に取り組むために、このような空気調和装置におけるガスの消費量を適切に把握し、エネルギー配分の調整に用いたいという要望がある。
【０００３】
そこで、複数の空気調和装置が消費するガスの総量を測定するガスメータを設けておき、ガスメータからガスの総消費量を示すデータを取得するとともに、空気調和装置を構成する室内機ユニットの運転負荷や運転時間、機器能力といった室内機ユニットの運転データから各空気調和装置の運転量を算出し、ガスの総消費量を各空気調和装置の運転量の比率で按分して、空気調和装置毎のガスの消費量を推定する技術が開示されている（例えば、特許文献１）。
【先行技術文献】
【特許文献】
【０００４】
【特許文献１】特開２００６−１２５７３４号公報
【発明の概要】
【発明が解決しようとする課題】
【０００５】
しかし、上記特許文献１の技術では、空気調和装置専用のガスメータを設置する必要があり、ガスメータにコストを要するという課題がある。
【０００６】
また、ガスは、室内機ユニットではなく、室外機ユニットを構成するガスエンジンで消費されることとなるが、ガスエンジンでは、運転条件によってエンジンの熱効率（以下、エンジン効率と称する）が変動する。このため、ガスの消費対象ではなく、また、運転条件によってほとんど変動しない室内機ユニットの運転データを利用しても高精度にガスの消費量を推定することはできない。
【０００７】
さらに、ガスの総消費量を運転量の比率で按分しているため、１の空気調和装置のガスの消費量の推定値の誤差が他の空気調和装置のガスの消費量の推定値に影響し、誤差の連鎖によって推定値が実際の値と乖離するおそれがある。
【０００８】
本発明は、このような課題に鑑み、空気調和装置を構成するガスエンジンのガス消費量を高精度に推定することが可能な推定値導出方法、推定値導出装置、および、プログラムを提供することを目的としている。
【課題を解決するための手段】
【０００９】
上記課題を解決するために、本発明の推定値導出方法は、冷媒が循環する連続した循環路と、ガスエンジンと、前記循環路に設けられ、該ガスエンジンを駆動源として前記冷媒を圧縮する圧縮機と、該冷媒と室外の空気とで熱交換を行う室外熱交換器と、該室外熱交換器に空気を送り熱交換を促進させる室外送風部とを有する室外機ユニットと、前記循環路に設けられ、前記冷媒を減圧する減圧部と、該冷媒と室内の空気とで熱交換を行う室内熱交換器と、該室内熱交換器に空気を送り熱交換を促進させる室内送風部とを有する１または複数の室内機ユニットと、を備えた空気調和装置において前記ガスエンジンのガス消費量の推定値を導出する推定値導出方法であって、前記ガスエンジンの回転数から前記圧縮機の回転数を算出する工程と、前記圧縮機が吸入する冷媒の温度である圧縮機吸入温度と、該圧縮機が吸入する冷媒の圧力である圧縮機吸入圧力とに基づいて、該圧縮機が吸入する冷媒の密度を算出する工程と、算出した前記圧縮機の回転数と、算出した前記冷媒の密度と、該圧縮機の排除容積および体積効率とに基づいて、該圧縮機を循環する冷媒の流量である冷媒循環量を算出する工程と、前記圧縮機吸入温度と、前記圧縮機吸入圧力とに基づいて、該圧縮機が吸入する冷媒のエンタルピーである圧縮機吸入エンタルピーを算出する工程と、前記圧縮機が吐出する冷媒の圧力である圧縮機吐出圧力に基づいて、該圧縮機が吐出する冷媒のエンタルピーである圧縮機吐出エンタルピーを算出する工程と、前記冷媒循環量、前記圧縮機吸入エンタルピー、および、前記圧縮機吐出エンタルピーに基づいて、前記圧縮機に要求される動力である圧縮機要求動力を算出する工程と、前記ガスエンジンの回転数と、前記圧縮機要求動力とに基づいて、該ガスエンジンのトルクであるエンジントルクを算出する工程と、前記ガスエンジンの回転数と、前記エンジントルクとに基づいて、該ガスエンジンの熱効率であるエンジン効率を算出する工程と、前記圧縮機要求動力と、前記エンジン効率とに基づいて、前記ガスエンジンのガス消費量の推定値を導出する工程と、を含むことを特徴とする。
【００１０】
また、前記圧縮機吐出エンタルピーを算出する工程では、前記圧縮機吸入温度と、前記圧縮機吸入圧力とに基づいて、前記圧縮機が吸入する冷媒のエントロピーである圧縮機吸入エントロピーを算出し、前記圧縮機吸入エントロピーと、前記圧縮機吐出圧力とに基づいて、前記圧縮機が吐出する冷媒のエンタルピーの理論値である圧縮機理論吐出エンタルピーを算出し、前記圧縮機吸入エンタルピー、前記圧縮機理論吐出エンタルピー、および、前記圧縮機の断熱圧縮効率に基づいて、前記圧縮機吐出エンタルピーを算出するとしてもよい。
【００１１】
上記課題を解決するために、本発明の推定値導出装置は、冷媒が循環する連続した循環路と、ガスエンジンと、前記循環路に設けられ、該ガスエンジンを駆動源として前記冷媒を圧縮する圧縮機と、該冷媒と室外の空気とで熱交換を行う室外熱交換器と、該室外熱交換器に空気を送り熱交換を促進させる室外送風部とを有する室外機ユニットと、前記循環路に設けられ、前記冷媒を減圧する減圧部と、該冷媒と室内の空気とで熱交換を行う室内熱交換器と、該室内熱交換器に空気を送り熱交換を促進させる室内送風部とを有する１または複数の室内機ユニットと、を備えた空気調和装置において前記ガスエンジンのガス消費量の推定値を導出する推定値導出装置であって、前記ガスエンジンの回転数、該圧縮機の排除容積、該圧縮機の体積効率、該圧縮機が吸入する冷媒の温度である圧縮機吸入温度、該圧縮機が吸入する冷媒の圧力である圧縮機吸入圧力、および、該圧縮機が吐出する冷媒の圧力である圧縮機吐出圧力を前記空気調和装置から取得するデータ取得部と、前記データ取得部が取得した前記ガスエンジンの回転数から前記圧縮機の回転数を算出し、該データ取得部が取得した前記圧縮機吸入温度および前記圧縮機吸入圧力から該圧縮機が吸入する冷媒の密度を算出し、算出した該圧縮機の回転数と、算出した該冷媒の密度と、該データ取得部が取得した前記排除容積および前記体積効率とに基づいて、該圧縮機を循環する冷媒の流量である冷媒循環量を算出する循環量算出部と、前記データ取得部が取得した前記圧縮機吸入温度と、前記圧縮機吸入圧力とに基づいて、前記圧縮機が吸入する冷媒のエンタルピーである圧縮機吸入エンタルピーを算出する吸入エンタルピー算出部と、前記データ取得部が取得した前記圧縮機吐出圧力に基づいて、前記圧縮機が吐出する冷媒のエンタルピーである圧縮機吐出エンタルピーを算出する吐出エンタルピー算出部と、前記循環量算出部が算出した前記冷媒循環量、前記吸入エンタルピー算出部が算出した前記圧縮機吸入エンタルピー、および、前記吐出エンタルピー算出部が算出した前記圧縮機吐出エンタルピーに基づいて、前記圧縮機に要求される動力である圧縮機要求動力を算出する要求動力算出部と、前記データ取得部が取得した前記ガスエンジンの回転数と、前記要求動力算出部が算出した前記圧縮機要求動力とに基づいて、該ガスエンジンのトルクであるエンジントルクを算出するトルク算出部と、前記データ取得部が取得した前記ガスエンジンの回転数と、前記トルク算出部が算出した前記エンジントルクとに基づいて、該ガスエンジンの熱効率であるエンジン効率を算出するエンジン効率算出部と、前記要求動力算出部が算出した前記圧縮機要求動力と、前記エンジン効率算出部が算出した前記エンジン効率とに基づいて、前記ガスエンジンのガス消費量の推定値を導出するガス消費量推定部と、を備えたことを特徴とする。
【００１２】
上記課題を解決するために、本発明のプログラムは、冷媒が循環する連続した循環路と、ガスエンジンと、前記循環路に設けられ、該ガスエンジンを駆動源として前記冷媒を圧縮する圧縮機と、該冷媒と室外の空気とで熱交換を行う室外熱交換器と、該室外熱交換器に空気を送り熱交換を促進させる室外送風部とを有する室外機ユニットと、前記循環路に設けられ、前記冷媒を減圧する減圧部と、該冷媒と室内の空気とで熱交換を行う室内熱交換器と、該室内熱交換器に空気を送り熱交換を促進させる室内送風部とを有する１または複数の室内機ユニットと、を備えた空気調和装置において前記ガスエンジンのガス消費量の推定値を導出するプログラムであって、コンピュータを、前記ガスエンジンの回転数、該圧縮機の排除容積、該圧縮機の体積効率、該圧縮機が吸入する冷媒の温度である圧縮機吸入温度、該圧縮機が吸入する冷媒の圧力である圧縮機吸入圧力、および、該圧縮機が吐出する冷媒の圧力である圧縮機吐出圧力を前記空気調和装置から取得するデータ取得部と、前記データ取得部が取得した前記ガスエンジンの回転数から前記圧縮機の回転数を算出し、該データ取得部が取得した前記圧縮機吸入温度および前記圧縮機吸入圧力から該圧縮機が吸入する冷媒の密度を算出し、算出した該圧縮機の回転数と、算出した該冷媒の密度と、該データ取得部が取得した前記排除容積および前記体積効率とに基づいて、該圧縮機を循環する冷媒の流量である冷媒循環量を算出する循環量算出部と、前記データ取得部が取得した前記圧縮機吸入温度と、前記圧縮機吸入圧力とに基づいて、前記圧縮機が吸入する冷媒のエンタルピーである圧縮機吸入エンタルピーを算出する吸入エンタルピー算出部と、前記データ取得部が取得した前記圧縮機吐出圧力に基づいて、前記圧縮機が吐出する冷媒のエンタルピーである圧縮機吐出エンタルピーを算出する吐出エンタルピー算出部と、前記循環量算出部が算出した前記冷媒循環量、前記吸入エンタルピー算出部が算出した前記圧縮機吸入エンタルピー、および、前記吐出エンタルピー算出部が算出した前記圧縮機吐出エンタルピーに基づいて、前記圧縮機に要求される動力である圧縮機要求動力を算出する要求動力算出部と、前記データ取得部が取得した前記ガスエンジンの回転数と、前記要求動力算出部が算出した前記圧縮機要求動力とに基づいて、該ガスエンジンのトルクであるエンジントルクを算出するトルク算出部と、前記データ取得部が取得した前記ガスエンジンの回転数と、前記トルク算出部が算出した前記エンジントルクとに基づいて、該ガスエンジンの熱効率であるエンジン効率を算出するエンジン効率算出部と、前記要求動力算出部が算出した前記圧縮機要求動力と、前記エンジン効率算出部が算出した前記エンジン効率とに基づいて、前記ガスエンジンのガス消費量の推定値を導出するガス消費量推定部として機能させる。
【発明の効果】
【００１３】
本発明によれば、空気調和装置を構成するガスエンジンのガス消費量を高精度に推定することが可能となる。
【図面の簡単な説明】
【００１４】
【図１】ガス消費量推定システムの構成を説明するための図である。
【図２】遠隔監視センターを説明するための図である。
【図３】アダプタ装置を説明するための図である。
【図４】空気調和装置の構成を説明するための図である。
【図５】空気調和装置における冷媒の状態変化を説明するための図である。
【図６】温度センサの測定位置を説明するための図である。
【図７】推定値導出方法の処理の流れを説明するためのフローチャートである。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
（ガス消費量推定システム１００）
図１は、ガス消費量推定システム１００の構成を説明するための図である。図１に示すように、ガス消費量推定システム１００は、複数のグループ１１０（図１中、１１０ａ、１１０ｂで示す）と、通信網１２０と、遠隔監視センター１３０とを含んで構成される。
【００１７】
グループ１１０は、１または複数（ここでは、３つ）の空気調和装置２００の集合体であり、ガス供給会社（エネルギー供給源）との１つの契約で、グループ１１０を構成するすべての空気調和装置２００にガスが供給される。したがって、グループ１１０は、契約が同一であれば、例えば、１つの施設であってもよいし、ビルや学校等の施設群であってもよい。
【００１８】
また、グループ１１０には、グループ１１０を構成する空気調和装置２００全体を管理および制御するアダプタ装置１５０が設けられている。アダプタ装置１５０および空気調和装置２００の具体的な構成については、後に詳述する。
【００１９】
通信網１２０は、ＬＡＮ、専用回線、インターネット等と、基地局とを含んで構成され、各グループ１１０のアダプタ装置１５０と遠隔監視センター１３０とを無線および有線のいずれか一方または双方により接続する。
【００２０】
遠隔監視センター１３０は、通信網１２０を介して、各グループ１１０のアダプタ装置１５０と通信を行い、各グループ１１０の空気調和装置２００ごとのガス消費量の推定値を取得して、後述する表示部に表示させる。
【００２１】
以下、ガス消費量推定システム１００を構成する遠隔監視センター１３０、アダプタ装置１５０、空気調和装置２００について説明する。
【００２２】
（遠隔監視センター１３０）
図２は、遠隔監視センター１３０を説明するための図である。図２に示すように、遠隔監視センター１３０は、センター操作部１３２と、センター制御部１３４と、センター記憶部１３６と、センター通信部１３８と、表示部１４０とを含んで構成される。
【００２３】
センター操作部１３２は、キーボード、操作キー、十字キー、ジョイスティック等のスイッチから構成され、ユーザの操作入力を受け付ける。
【００２４】
センター制御部１３４は、ＣＰＵ（中央処理装置）を含む半導体集積回路で構成され、センター記憶部１３６からＣＰＵ自体を動作させるためのプログラムやパラメータ等を読み出し、ワークエリアとしてのセンター記憶部１３６や他の電子回路と協働して遠隔監視センター１３０全体を管理および制御する。
【００２５】
センター記憶部１３６は、ＲＯＭ、ＲＡＭ、フラッシュメモリ、ＨＤＤ等で構成され、センター制御部１３４に用いられるプログラムや各種データを記憶する。
【００２６】
センター通信部１３８は、センター制御部１３４による制御指令に応じ、例えば、１時間ごとに、通信網１２０を介して、各グループ１１０のアダプタ装置１５０と通信を行い、各グループ１１０の各空気調和装置２００に関するデータを取得する。センター通信部１３８によって取得されたデータは、センター記憶部１３６に記憶される。
【００２７】
表示部１４０は、ユーザによるセンター操作部１３２への操作入力があると、センター制御部１３４による制御指令に応じて、センター記憶部１３６に記憶されたデータを表示する。
【００２８】
（アダプタ装置１５０）
図３は、アダプタ装置１５０を説明するための図である。図３に示すように、アダプタ装置１５０は、アダプタ制御部１５２と、アダプタ記憶部１５４と、アダプタ通信部１５６とを含んで構成される。
【００２９】
アダプタ制御部１５２は、ＣＰＵ（中央処理装置）を含む半導体集積回路で構成され、アダプタ記憶部１５４からＣＰＵ自体を動作させるためのプログラムやパラメータ等を読み出し、ワークエリアとしてのアダプタ記憶部１５４や他の電子回路と協働して、グループ１１０を構成する空気調和装置２００全体を管理および制御する。
【００３０】
また、アダプタ制御部１５２は、空気調和装置２００に関するデータを取得する。ここで、空気調和装置２００に関するデータは、空気調和装置２００において測定されたデータ（以下、運転データと称する）や、空気調和装置２００において推定された空気調和装置２００のガスの消費量である。アダプタ制御部１５２による空気調和装置２００に関するデータの取得は、例えば、５分ごとに（遠隔監視センター１３０との通信間隔より短い時間間隔で）実行される。アダプタ制御部１５２は、取得したデータを、アダプタ記憶部１５４に記憶する。
【００３１】
アダプタ記憶部１５４は、ＲＯＭ、ＲＡＭ、フラッシュメモリ、ＨＤＤ等で構成され、アダプタ制御部１５２に用いられるプログラムや各種データを記憶する。
【００３２】
アダプタ通信部１５６は、アダプタ制御部１５２による制御指令に応じ、例えば、１時間ごとに、通信網１２０を介して、遠隔監視センター１３０と通信を行い、当該グループ１１０の各空気調和装置２００に関するデータをアダプタ記憶部１５４から読み出して、送信する。
【００３３】
（空気調和装置２００）
図４は、空気調和装置２００の構成を説明するための図である。空気調和装置２００は、ビルや学校等の１のグループ１１０に属する施設に設置され、室外機ユニット２１０と、１または複数の室内機ユニット２２０と、室外機ユニット２１０、室内機ユニット２２０に冷媒を循環させるための冷媒管２３０とを含んで構成される。なお、図４中、冷房時の冷媒の流れを実線の矢印で、信号線を破線で示す。
【００３４】
室外機ユニット２１０は、ガスエンジン２５２と、ガスエンジン２５２を駆動源とする圧縮機ユニット２５４と、ガスエンジン２５２に接続されたプーリと圧縮機ユニット２５４を構成する圧縮機に接続されたプーリに張架された複数の無端ベルト２５６と、四方弁２５８と、温度センサ２６０ａ、２６０ｂと、圧力センサ２６２ａ、２６２ｂと、冷媒と室外の空気とで熱交換を行う室外熱交換器２７０と、室外熱交換器２７０に空気を送り熱交換を促進させる室外送風部２７２と、室外機制御装置３００とを含んで構成される。
【００３５】
圧縮機ユニット２５４は、複数の圧縮機を含んで構成される。圧縮機は、例えば、スクロールコンプレッサで構成され、圧縮機ユニット２５４の入口は、冷媒管２３０によって四方弁２５８の第３ポートに接続され、圧縮機ユニット２５４の出口は、冷媒管２３０によって四方弁２５８の第１ポートに接続される。また、室外熱交換器２７０の一端側は、冷媒管２３０によって四方弁２５８の第２ポートに接続される。室外熱交換器２７０の他端側は、冷媒管２３０によって後述する室内機ユニット２２０の減圧部４１０に接続される。四方弁２５８の第４ポートは、冷媒管２３０によって後述する室内機ユニット２２０の室内熱交換器４２０の一端側に接続される。
【００３６】
温度センサ２６０ａは、圧縮機ユニット２５４に吸入される冷媒の温度（圧縮機吸入温度Ｔｓｕｃ）を測定する。温度センサ２６０ｂは、圧縮機ユニット２５４が吐出した冷媒の温度（圧縮機吐出温度Ｔｄｉｓ）を測定する。圧力センサ２６２ａは、圧縮機ユニット２５４に吸入される冷媒の圧力（圧縮機吸入圧力Ｐｓｕｃ）を測定する。圧力センサ２６２ｂは、圧縮機ユニット２５４が吐出した冷媒の圧力（圧縮機吐出圧力Ｐｄｉｓ）を測定する。
【００３７】
室外機制御装置３００は、中央制御部３１０と、装置記憶部３２０とを含んで構成される。中央制御部３１０は、ＣＰＵ（中央処理装置）を含む半導体集積回路で構成され、装置記憶部３２０からＣＰＵ自体を動作させるためのプログラムやパラメータ等を読み出し、ワークエリアとしての装置記憶部３２０や他の電子回路と協働して、室外機制御装置３００全体を制御する。
【００３８】
また、本実施形態において室外機制御装置３００は、ガスエンジン２５２のガスの消費量を推定する推定値導出装置としても機能する。推定値導出装置として機能する室外機制御装置３００の具体的な構成および処理については、後に詳述する。
【００３９】
装置記憶部３２０は、ＲＯＭ、ＲＡＭ、フラッシュメモリ、ＨＤＤ等で構成され、中央制御部３１０に用いられるプログラムや各種データを記憶する。
【００４０】
本実施形態において、装置記憶部３２０は、中央制御部３１０によって取得された、温度センサ２６０ａが測定した圧縮機吸入温度Ｔｓｕｃ、温度センサ２６０ｂが測定した圧縮機吐出温度Ｔｄｉｓ、圧力センサ２６２ａが測定した圧縮機吸入圧力Ｐｓｕｃ、圧力センサ２６２ｂが測定した圧縮機吐出圧力Ｐｄｉｓ、ガスエンジン２５２の回転数Ｎｅｇ、クラッチ情報Ｃ等を示す運転データを記憶する。なお、中央制御部３１０は、例えば、１０秒ごとに運転データを取得するため、装置記憶部３２０においては、運転データが１０秒ごとに蓄積されることとなる。なお、クラッチ情報Ｃは、圧縮機ユニット２５４を構成する圧縮機のクラッチがＯＮであるか、ＯＦＦであるかを示す情報、すなわち、圧縮機が駆動しているか否かを示す情報であり、ＯＮ＝１、ＯＦＦ＝０となる。また、クラッチ情報Ｃは、圧縮機を識別するための識別子ｎに関連付けられて装置記憶部３２０に記憶される。
【００４１】
また、装置記憶部３２０は、予め定められた、圧縮機とガスエンジン２５２とのプーリ比Ａ、圧縮機の排除容積Ｖ、圧縮機の体積効率ηｖｏｌ、圧縮機断熱圧縮効率ηａｄ、エンジン効率ηｅｇを記憶している。なお、プーリ比Ａ、排除容積Ｖ、体積効率ηｖｏｌ、圧縮機断熱圧縮効率ηａｄは、圧縮機を識別するための識別子ｎに関連付けられて装置記憶部３２０に記憶されている。ここで、圧縮機の排除容積Ｖは、１回転当たりの冷媒の吐出量を示し、体積効率ηｖｏｌは、冷媒の吐出体積の、理論値と実測値との比を示す。
【００４２】
また、装置記憶部３２０は、ガスエンジン２５２固有のエンジン効率マップを予め記憶している。エンジン効率マップについては、後に詳述する。
【００４３】
そして、装置記憶部３２０に記憶された運転データや、中央制御部３１０によって導出されたガス消費量の推定値等の空気調和装置２００に関するデータは、中央制御部３１０によってアダプタ装置１５０に送信されることとなる。
【００４４】
室内機ユニット２２０は、本実施形態の空気調和装置２００においては２つ（図２中、２２０ａ、２２０ｂで示す）設けられた例を示しており、冷媒を減圧する減圧部４１０（膨張弁）と、冷媒管２３０によって減圧部４１０に接続され冷媒と室内の空気とで熱交換を行う室内熱交換器４２０と、室内熱交換器４２０に空気を送り熱交換を促進させる室内送風部４２２とを含んで構成される。上述したように、減圧部４１０の一端側は、冷媒管２３０によって室外熱交換器２７０に接続され、減圧部４１０の他端側は冷媒管２３０によって室内熱交換器４２０の他端側に接続され、室内熱交換器４２０の一端側は冷媒管２３０によって四方弁２５８の第４ポートに接続されている。
【００４５】
したがって、圧縮機ユニット２５４が駆動されると、冷媒は、冷媒管２３０を循環することとなり、冷媒管２３０によって一連の循環路が形成される。また、本実施形態において、冷媒が循環する一連の循環路は、室外機ユニット２１０と室内機ユニット２２０ａを通る循環路と、室外機ユニット２１０と室内機ユニット２２０ｂを通る循環路とに分岐されている。
【００４６】
なお、室内機ユニット２２０を冷房として機能させる場合、四方弁２５８の第１ポートと第２ポートとを接続し、第４ポートと第３ポートとを接続することで、図４中矢印で示す方向に冷媒を流通させて、圧縮された冷媒を室外熱交換器２７０に送出する。一方、室内機ユニット２２０を暖房として機能させる場合、四方弁２５８の第１ポートと第４ポートとを接続し、第２ポートと第３ポートとを接続することで、図４中矢印で示す方向とは逆の方向に冷媒を流通させて、圧縮された冷媒を室内熱交換器４２０に送出する。
【００４７】
（推定値導出装置として機能する室外機制御装置３００）
続いて、ガスエンジン２５２のガスの消費量を推定する推定値導出装置として機能する室外機制御装置３００について説明する。ここでは、まず、空気調和装置２００における冷媒の状態変化について説明し、続いて推定値導出装置として機能する室外機制御装置３００の具体的な構成および処理について説明する。
【００４８】
図５は、空気調和装置２００における冷媒の状態変化を説明するための図である。図５中、横軸にエンタルピー（ｋＪ／ｋｇ）を示し、縦軸に圧力（ＭＰａ）を示す。また、冷媒の飽和液線および飽和蒸気線を一点鎖線で、冷媒管２３０を流通する冷媒の状態変化を実線で示す。
【００４９】
図５に示す、冷媒のＰ−Ｈ線図（モリエル線図）は、冷媒の種類ごとに固有のものである。また、Ｐ−Ｈ線図のうち、臨界点より低エンタルピー側に延在した線は、飽和液線であり、臨界点より高エンタルピー側に延在した線は、飽和蒸気線である。
【００５０】
したがって、臨界点未満の圧力において、エンタルピーが飽和液線と飽和蒸気線の間である場合、冷媒は気液混合状態であり、エンタルピーが飽和蒸気線の右側である場合、冷媒は気体状態であり、エンタルピーが飽和液線の左側である場合、冷媒は液体状態である。
【００５１】
続いて、冷房として機能させる場合の冷媒管２３０を流通する冷媒の状態変化について説明する。圧縮機ユニット２５４が吸入する冷媒は、気体であり、かつ、低圧であるため、図５中（１）に示す状態となる。そして、圧縮機ユニット２５４によって冷媒が圧縮されると、冷媒の圧力が上昇するとともに、エンタルピーが上昇するため、圧縮機ユニット２５４によって吐出された冷媒は、図５中（２）に示す状態となる。続いて、圧縮された冷媒は、室外熱交換器２７０に送出され、室外熱交換器２７０において冷却されて液体状態となるため、図５中（３）に示す状態となる。室外熱交換器２７０によって液体状態となった冷媒は、室内機ユニット２２０を構成する減圧部４１０によって減圧（膨張）されるため（等エンタルピー変化）、減圧部４１０の出口においては、気液混合状態となり、図５中（４）に示す状態となる。そして、減圧された冷媒は、室内熱交換器４２０に送出され、室内熱交換器４２０において加熱されて気体状態となり、図５中（１）に示す状態に戻る。
【００５２】
このように、冷媒管２３０を流通する冷媒は、図５中、（１）、（２）、（３）、（４）の順で状態変化する。ここで、（１）から（２）へ変化する過程において、圧縮機ユニット２５４が用いられるため、推定値導出装置（室外機制御装置３００）は、圧縮機ユニット２５４を駆動するガスエンジン２５２におけるガスの消費量を推定する。ガスエンジン２５２におけるガスの消費量を推定するには、圧縮機ユニット２５４の圧縮機要求動力Ｂを算出する。
【００５３】
なお、圧縮機要求動力Ｂを算出する際には、（１）におけるエンタルピー（圧縮機吸入エンタルピーＨｓｕｃ）と、（２）におけるエンタルピー（圧縮機吐出エンタルピーＨｄｉｓ）の差（Ｈｄｉｓ−Ｈｓｕｃ）を算出する必要がある。
【００５４】
また、圧縮機吸入エンタルピーＨｓｕｃは、室内熱交換器４２０で熱交換（加熱）された後の冷媒の温度に基づいて算出することができる。ここで、温度センサ２６０ａは、圧縮機ユニット２５４に吸入される冷媒の温度（圧縮機吸入温度Ｔｓｕｃ）、すなわち、室内熱交換器４２０で熱交換された後の冷媒の温度を測定しているため、圧縮機吸入エンタルピーＨｓｕｃは、温度センサ２６０ａが測定した圧縮機吸入温度Ｔｓｕｃに基づいて算出することができる。
【００５５】
一方、圧縮機吐出エンタルピーＨｄｉｓは、圧縮機ユニット２５４を構成する各圧縮機内における圧縮直後の冷媒の温度に基づいて算出できるが、圧縮機の構造上実測が困難である。そこで、温度センサ２６０ｂが測定した圧縮機吐出温度Ｔｄｉｓに基づいて、圧縮機吐出エンタルピーＨｄｉｓを算出することが考えられる。しかし、圧縮機吐出温度Ｔｄｉｓに基づいて圧縮機吐出エンタルピーＨｄｉｓを算出すると、圧縮機ユニット２５４内における圧縮直後の冷媒の温度に基づく値と異なるおそれがある。以下、その理由を示す。
【００５６】
図６は、温度センサ２６０ａ、ｂの測定位置を説明するための図である。図６に示すように、温度センサ２６０ａは、圧縮機吸入温度Ｔｓｕｃとして、圧縮機の吸入口に接続された冷媒管２３０を流通する冷媒であって、吸入口近傍を流通する冷媒の温度を測定する。また、温度センサ２６０ｂは、圧縮機吐出温度Ｔｄｉｓとして、圧縮機の吐出口に接続された冷媒管２３０を流通する冷媒であって、吐出口近傍を流通する冷媒の温度を測定する。
【００５７】
圧縮機において、冷媒は、まず吸入室に導入され、圧縮部（ここではスクロール）で圧縮された後に吐出室に送出される。圧縮機の特性上、吸入室、圧縮部、吐出室は物理的に近接して設けられるため、吐出室の冷媒は吸入室の冷媒やスクロール自体によって冷却され、圧縮直後の冷媒と比較して低温になる。したがって、吐出室のさらに下流側を流れる冷媒の温度である圧縮機吐出温度Ｔｄｉｓは、圧縮直後の冷媒の温度よりも低くなる。このため、圧縮機吐出温度Ｔｄｉｓに基づいて圧縮機吐出エンタルピーＨｄｉｓを導出すると、圧縮機吐出エンタルピーＨｄｉｓの真値からズレるおそれがある。
【００５８】
そこで、推定値導出装置（室外機制御装置３００）は、圧縮機吐出エンタルピーの理論値（圧縮機理論吐出エンタルピーＨｔｖ、図５中、白丸で示す）を導出し、圧縮機理論吐出エンタルピーＨｔｖと圧縮機吸入エンタルピーＨｓｕｃとに基づいて、圧縮機吐出エンタルピーＨｄｉｓを導出する。以下、推定値導出装置として機能する室外機制御装置３００における中央制御部３１０の各機能部の具体的な処理について説明する。推定値導出装置として機能する場合、室外機制御装置３００の中央制御部３１０は、図４に示すように、データ取得部３３０、循環量算出部３３２、吸入エンタルピー算出部３３４、吐出エンタルピー算出部３３６、要求動力算出部３３８、トルク算出部３４０、エンジン効率算出部３４２、ガス消費量推定部３４４として機能する。
【００５９】
図７は、推定値導出装置を用いて、ガスエンジン２５２のガスの消費量の推定値を導出する推定値導出方法の処理の流れを説明するためのフローチャートである。
【００６０】
（データ取得工程Ｓ４００）
データ取得部３３０は、圧縮機吸入温度Ｔｓｕｃ（℃）、圧縮機吸入圧力Ｐｓｕｃ（ＭＰａ）、圧縮機吐出圧力Ｐｄｉｓ（ＭＰａ）、ガスエンジン２５２の回転数Ｎｅｇ（ｍｉｎ−１）、クラッチ情報Ｃ、プーリ比Ａ、排除容積Ｖ（ｍ３／ｒｅｖ）、体積効率ηｖｏｌ、圧縮機断熱圧縮効率ηａｄ、エンジン効率ηｅｇを装置記憶部３２０から取得する。
【００６１】
（圧縮機回転数算出工程Ｓ４１０）
循環量算出部３３２は、ガスエンジン２５２の回転数Ｎｅｇ（ｍｉｎ−１）から、圧縮機ユニット２５４を構成する各圧縮機の回転数Ｎｃｐ（ｓｅｃ−１）をそれぞれ算出する。具体的に説明すると、循環量算出部３３２は、下記式（１）を用いて、各圧縮機の回転数Ｎｃｐ（ｓｅｃ−１）を算出する。ここで、ｎは、上述した圧縮機の識別子を示す。
【数１】
2015140951.tif 000003
…式（１）
【００６２】
（冷媒密度算出工程Ｓ４２０）
循環量算出部３３２は、圧縮機ユニット２５４の圧縮機吸入温度Ｔｓｕｃ（℃）と、圧縮機吸入圧力Ｐｓｕｃ（ＭＰａ）とに基づいて、圧縮機ユニット２５４が吸入する冷媒の密度ρｓｕｃ（ｋｇ／ｍ３）を算出する。循環量算出部３３２による冷媒の密度ρｓｕｃ（ｋｇ／ｍ３）の算出は、既存の技術、例えば、ｒｅｆｐｒｏｐ等の冷媒物性データベースを利用することができるので、ここでは説明を省略する。
【００６３】
（冷媒循環量算出工程Ｓ４３０）
循環量算出部３３２は、圧縮機回転数算出工程Ｓ４１０で算出した圧縮機の回転数Ｎｃｐ（ｓｅｃ−１）と、冷媒密度算出工程Ｓ４２０で算出した冷媒の密度ρｓｕｃ（ｋｇ／ｍ３）と、排除容積Ｖ（ｍ３／ｒｅｖ）および体積効率ηｖｏｌと、クラッチ情報Ｃとに基づいて、圧縮機を循環する冷媒の流量である冷媒循環量ｑ（kｇ／ｓｅｃ）を算出する。具体的に説明すると、循環量算出部３３２は、下記式（２）を用いて、各圧縮機の冷媒循環量ｑを算出する。
【数２】
2015140951.tif 000004
…式（２）
【００６４】
（吸入エンタルピー算出工程Ｓ４４０）
吸入エンタルピー算出部３３４は、圧縮機吸入温度Ｔｓｕｃ（℃）と、圧縮機吸入圧力Ｐｓｕｃ（ＭＰａ）とに基づいて、圧縮機ユニット２５４が吸入する冷媒のエンタルピーである圧縮機吸入エンタルピーＨｓｕｃ（ｋＪ／ｋｇ）を算出する。吸入エンタルピー算出部３３４による圧縮機吸入エンタルピーＨｓｕｃ（ｋＪ／ｋｇ）の算出は、既存の技術、例えば、ｒｅｆｐｒｏｐ等の冷媒物性データベースを利用することができるので、ここでは説明を省略する。
【００６５】
（吐出エンタルピー算出工程Ｓ４５０）
吐出エンタルピー算出部３３６は、まず、圧縮機吸入温度Ｔｓｕｃ（℃）と、圧縮機吸入圧力Ｐｓｕｃ（ＭＰａ）とに基づいて、圧縮機ユニット２５４が吸入する冷媒のエントロピーである圧縮機吸入エントロピーＳｓｕｃ（ｋＪ／（ｋｇ・Ｋ））を算出する。吐出エンタルピー算出部３３６による圧縮機吸入エントロピーＳｓｕｃ（ｋＪ／（ｋｇ・Ｋ））の算出は、既存の技術、例えば、ｒｅｆｐｒｏｐ等の冷媒物性データベースを利用することができるので、ここでは説明を省略する。
【００６６】
続いて、吐出エンタルピー算出部３３６は、圧縮機吸入エントロピーＳｓｕｃ（ｋＪ／（ｋｇ・Ｋ））と、圧縮機吐出圧力Ｐｄｉｓ（ＭＰａ）とに基づいて、圧縮機が吐出する冷媒のエンタルピーの理論値である圧縮機理論吐出エンタルピーＨｔｖ（ｋＪ／ｋｇ）を算出する。吐出エンタルピー算出部３３６による圧縮機理論吐出エンタルピーＨｔｖ（ｋＪ／ｋｇ）の算出は、既存の技術、例えば、ｒｅｆｐｒｏｐ等の冷媒物性データベースを利用することができるので、ここでは説明を省略する。
【００６７】
そして、吐出エンタルピー算出部３３６は、圧縮機吸入エンタルピーＨｓｕｃ（ｋＪ／ｋｇ）、圧縮機理論吐出エンタルピーＨｔｖ（ｋＪ／ｋｇ）、および、圧縮機断熱圧縮効率ηａｄに基づいて、圧縮機吐出エンタルピーＨｄｉｓ（ｋＪ／ｋｇ）を算出する。具体的に説明すると、吐出エンタルピー算出部３３６は、下記式（３）を用いて、各圧縮機の圧縮機吐出エンタルピーＨｄｉｓ（ｋＪ／ｋｇ）を算出する。
【数３】
2015140951.tif 000005
…式（３）
【００６８】
（圧縮機要求動力算出工程Ｓ４６０）
要求動力算出部３３８は、冷媒循環量算出工程Ｓ４３０において循環量算出部３３２が算出した冷媒循環量ｑ（ｋｇ／ｓｅｃ）、吸入エンタルピー算出工程Ｓ４４０において吸入エンタルピー算出部３３４が算出した圧縮機吸入エンタルピーＨｓｕｃ（ｋＪ／ｋｇ）、および、吐出エンタルピー算出工程Ｓ４５０で吐出エンタルピー算出部３３６が算出した圧縮機吐出エンタルピーＨｄｉｓ（ｋＪ／ｋｇ）に基づいて、圧縮機に要求される動力である圧縮機要求動力Ｂ（ｋＷ）を算出する。具体的に説明すると、要求動力算出部３３８は、下記式（４）を用いて、各圧縮機の圧縮機要求動力Ｂ（ｋＷ）を算出する。
【数４】
2015140951.tif 000006
…式（４）
【００６９】
（エンジントルク算出工程Ｓ４７０）
トルク算出部３４０は、ガスエンジン２５２の回転数Ｎｅｇ（ｍｉｎ−１）と、圧縮機要求動力Ｂ（ｋＷ）とに基づいて、ガスエンジン２５２のトルクであるエンジントルクＥ（Ｎｍ）を算出する。具体的に説明すると、トルク算出部３４０は、下記式（５）を用いて、エンジントルクＥ（Ｎｍ）を算出する。
Ｅ＝（Ｂ１＋Ｂ２＋・・・＋Ｂｎ）／（Ｅ×１／６０×２π）
…式（５）
【００７０】
（エンジン効率算出工程Ｓ４８０）
エンジン効率算出部３４２は、ガスエンジン２５２の回転数Ｎｅｇ（ｍｉｎ−１）と、エンジントルク算出工程Ｓ４７０においてトルク算出部３４０が算出したエンジントルクＥ（Ｎｍ）とに基づいて、ガスエンジン２５２の熱効率であるエンジン効率ηｅｇを算出する。ここで、エンジン効率算出部３４２は、装置記憶部３２０に記憶されたエンジン効率マップを参照して、エンジン効率ηｅｇを算出する。ここで、エンジン効率マップは、ガスエンジン２５２の回転数Ｎｅｇ（ｍｉｎ−１）と、エンジントルクＥ（Ｎｍ）と、エンジン効率が一義的に関連付けられたマップである。
【００７１】
（推定値導出工程Ｓ４９０）
ガス消費量推定部３４４は、圧縮機要求動力算出工程Ｓ４６０において要求動力算出部３３８によって算出された圧縮機要求動力Ｂ（ｋＷ）と、エンジン効率算出工程Ｓ４８０においてエンジン効率算出部３４２によって算出されたエンジン効率ηｅｇとに基づいて、ガスエンジン２５２のガス消費量の推定値ｇ（ｋＷ）を導出する。具体的に説明すると、吸入エンタルピー算出部３３４は、下記式（６）を用いて、推定値ｇ（ｋＷ）を導出する。
ｇ＝（Ｂ１＋Ｂ２＋・・・＋Ｂｎ）／ηｅｇ
…式（６）
【００７２】
このようにして、導出された推定値ｇ（ｋＷ）は、アダプタ装置１５０を経由して、遠隔監視センター１３０に送信される。そして、ユーザは、例えば、遠隔監視センター１３０の表示部１４０に表示された推定値ｇ（ｋＷ）を視認することで、空気調和装置２００のガス消費量の推定値ｇ（ｋＷ）を把握することとなる。
【００７３】
以上説明したように、本実施形態にかかる推定値導出装置、および、これを用いた推定値導出方法によれば、実際にガスを消費するガスエンジン２５２およびガスエンジン２５２によって駆動される圧縮機（圧縮機ユニット２５４）に関するデータを用いているため、空気調和装置２００ごとのガスの消費量を高精度に推定することが可能となる。
【００７４】
また、コンピュータを、推定値導出装置として機能させるプログラムや当該プログラムを記録した、コンピュータで読み取り可能なフレキシブルディスク、光磁気ディスク、ＲＯＭ、ＥＰＲＯＭ、ＥＥＰＲＯＭ、ＣＤ、ＤＶＤ、ＢＤ等の記憶媒体も提供される。ここで、プログラムは、任意の言語や記述方法にて記述されたデータ処理手段をいう。
【００７５】
（実施例）
本願発明者は、約２ヶ月間に亘って、空気調和装置２００を冷房として機能させた際のガスの消費量を実測し、得られた実測値と、上記推定値導出装置、および、これを用いた推定値導出方法によって推定した推定値ｇとの相対誤差を比較した。ここでは、３台の室外機ユニット２１０と、２４台の室内機ユニット２２０とを含んで構成される室外機空気調和装置２００のガス消費量について検討した。また、空気調和装置２００における運転データの測定間隔は、１時間とした。その結果、実測値と、推定値ｇとの相対誤差は、±１０％以内に留まることが確認できた。
【００７６】
以上より、本実施形態にかかる推定値導出装置、および、これを用いた推定値導出方法によれば、ガスメータで測定した実測値と遜色なく、ガスの消費量を推定できることが証明された。
【００７７】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７８】
例えば、上記実施形態において、温度センサ２６０ｂが圧縮機吐出温度Ｔｄｉｓを測定する構成を例に挙げて説明した。しかし、推定値導出装置が、圧縮機理論吐出エンタルピーＨｔｖから圧縮機吐出エンタルピーＨｄｉｓを算出する場合、温度センサ２６０ｂを備えずともよい。
【００７９】
また、上記実施形態において、推定値導出装置が空気調和装置２００に設けられる構成について説明したが、遠隔監視センター１３０や、アダプタ装置１５０に設けられるとしてもよい。
【００８０】
また、上記実施形態において、吐出エンタルピー算出工程Ｓ４５０において、圧縮機理論吐出エンタルピーＨｔｖから圧縮機吐出エンタルピーＨｄｉｓを算出する構成について説明した。しかし、少なくとも、圧縮機吐出圧力Ｐｄｉｓに基づいて、圧縮機吐出エンタルピーＨｄｉｓを算出すればよい。例えば、圧縮機吐出温度Ｔｄｉｓと圧縮機吐出圧力Ｐｄｉｓに基づいて、圧縮機吐出エンタルピーＨｄｉｓを算出してもよい。この場合、既存の技術、例えば、ｒｅｆｐｒｏｐ等の冷媒物性データベースを利用することができる。
【００８１】
また、上記実施形態において、空気調和装置２００が複数の圧縮機を備える構成について説明したが、圧縮機は１つであってもよい。
【００８２】
なお、本明細書の推定値導出方法の各工程は、必ずしもフローチャートとして記載された順序に沿って時系列に処理する必要はなく、並列的あるいはサブルーチンによる処理を含んでもよい。
【産業上の利用可能性】
【００８３】
本発明は、ガスエンジンを駆動源とした圧縮機を含んで構成される空気調和装置におけるガス消費量を推定する推定値導出方法、推定値導出装置、および、プログラムに利用することができる。
【符号の説明】
【００８４】
３００  室外機制御装置（推定値導出装置）
３３０  データ取得部
３３２  循環量算出部
３３４  吸入エンタルピー算出部
３３６  吐出エンタルピー算出部
３３８  要求動力算出部
３４０  トルク算出部
３４２  エンジン効率算出部
３４４  ガス消費量推定部
【図１】
2015140951.tif 000007
【図２】
2015140951.tif 000008
【図３】
2015140951.tif 000009
【図４】
2015140951.tif 000010
【図５】
2015140951.tif 000011
【図６】
2015140951.tif 000012
【図７】
2015140951.tif 000013